(57)【要約】【課題】使用者がトレーの清掃等でトレーを取り外し、清掃が終了後に再度引出しにトレーを取り付ける際に、トレーを固定するロッド挟持部およびロッドに負荷をかけることなく装着することができるキッチンキャビネットを提供すること。【解決手段】引出し３とトレー４を着脱自在とし、トレー４はロッド２０に保持されているロッド挟持部４０と固定されることで、引出し３と固定されている。トレー４を取外す際は、ロッド挟持部４０はロッド２０に残したまま取外すことができるように構成されている。【選択図】図６
2015062528.tif 000002
【特許請求の範囲】
【請求項１】
内部に収納空間を有するキャビネット本体と、
前記キャビネット本体に対し前後方向にスライドすることで前記収納空間に進退可能な引出しと、
前記引出しの上方に配置されたトレーと、を備え、
前記引出しは、
前板と、前記前板の後方に設けられその上端部が前記前板の上端部よりも下方に位置する後板と、前記前板の下部と前記後板の下部との間に設けられた底板と、前記底板の左右両側部で前記前板と前記後板との間に設けられた一対の側板と、前記一対の側板の上方で前記前板と前記後板の間に設けられ前後方向に略水平に伸びる一対のロッドと、を有しており、
前記トレーは、
その下面のうち前方寄りの部分に設けられたロッド挟持部が前記ロッドを上下から挟持しているとともに、前記後板の上端部に取り付けられた支持部材によって前記下面が下方から支持されていることにより、前記引出しに対し前後方向にスライドすることが可能であり、
前記ロッド挟持部は、
前記トレーに対して着脱可能であり、前記トレーから前記ロッド挟持部を外すことによって前記ロッド挟持部を前記ロッドに残したまま前記トレーを前記引出しから取外すことが可能となっている
ことを特徴とするキッチンキャビネット。
【請求項２】
前記ロッド挟持部は、
上方に延びるアーム部を有し、
前記トレーの側面方向から前記トレーに差し込まれる連結具によって前記アーム部が前記トレーに取り付けられる
ことを特徴とする請求項１記載のキッチンキャビネット。
【請求項３】
前記トレーは、
前記トレーと前記アーム部を固定する連結具が挿入される固定孔と、
前記トレーのぐらつきを防止するぐらつき防止孔とを備え、
前記ぐらつき防止孔は前記固定孔よりも上方に設けられていることを特徴とする請求項２記載のキッチンキャビネット。
【発明の詳細な説明】
【技術分野】
【０００１】
本発明は、キャビネット本体に対し前後方向にスライドする引出しを備えたキッチンキャビネットに関する。
【背景技術】
【０００２】
システムキッチンに広く用いられているキッチンキャビネットでは、スライド動作によって取り出し可能な収納物を増やすために、収納物を取り出そうとする使用者が最初にスライドさせる引出しとは別に、トレーを設けたものが知られている。
【０００３】
また、下記特許文献１には、互いに連動してスライドする引出し（下段引出し）とトレー（上段引出し）とが設けられた引出し装置が開示されている。詳細には、左右一対のレールが引出しの上部に設けられおり、トレーはその一対のレールの間に配置されている。トレーは、その左右両側面においてレールに支持されており、前後方向にスライドすることが可能となっている。
【先行技術文献】
【特許文献】
【０００４】
【特許文献１】特開２００２−２３８６８３号公報
【発明の開示】
【発明が解決しようとする課題】
【０００５】
上記特許文献１に記載されているような構成の引出し付きキャビネットは、トレーを前後方向にスライドさせることでトレーを取り外すことなくトレーの下方にある収納物を取り出すことを目的としたものであり、トレーを取外して再度引出しに装着する際はガイドレールを上下方向から挟み込むようにするためには、トレーにトレーの収納空間が狭くなるような内側方向に負荷をかける、もしくは、ガイドレールを外側方向に広げるように負荷をかけなければならず、トレー及びガイドレールに負荷をかけることで再装着の際に破損する恐れがあった。トレー及びガイドレールが破損するとトレーを再度スライドさせることができなくなる恐れがある。
【０００６】
本発明はこのような課題に鑑みてなされたものであり、その目的は、使用者が一旦外したトレーを再度引出しに装着する際に、トレーを固定するロッド挟持部およびロッドに無理な力をかけることなく装着することができるキッチンキャビネットを提供することである。
【課題を解決するための手段】
【０００７】
上記課題を解決するために、本発明にかかるキッチンキャビネットは、内部に収納空間を有するキャビネット本体と、キャビネット本体に対し前後方向にスライドすることで収納空間に進退可能な引出しと、引出しの上方に配置されたトレーと、を備え、引出しは、前板と、前板の後方に設けられその上端部が前板の上端部よりも下方に位置する後板と、前板の下部と後板の下部との間に設けられた底板と、底板の左右両側部で前板と後板との間に設けられた一対の側板と、一対の側板の上方で前板と前記後板の間に設けられ前後方向に略水平に伸びる一対のロッドと、を有しており、トレーは、その下面のうち前方寄りの部分に設けられたロッド挟持部がロッドを上下から挟持しているとともに、後板の上端部に取り付けられた支持部材によって下面が下方から支持されていることにより、引出しに対し前後方向にスライドすることが可能であり、ロッド挟持部は、トレーに対して着脱可能であり、トレーからロッド挟持部を外すことによってロッド挟持部をロッドに残したままトレーを引出しから取外すことが可能となっていることを特徴とする。
【０００８】
第一の発明は、トレーが引出しに対して後方に大きくスライドし、トレーの下面のうち後方の部分が、支持部材によって支持されない状態となった場合でも、トレーの姿勢はロッドを上下から挟持するロッド挟持部によって保持される。このため、後方への転倒を防止することができる。また、このロッド挟持部はトレーの下面に設けられているため、トレーの幅方向寸法が圧迫されて収納容量を小さくしてしまうこともない。すなわち、トレーの収納容量を維持しながらも、トレーを安定的にスライドさせることを可能とするものである。
【０００９】
また、トレーのスライドのために高価なレールを別途付設する必要がない。このような構成とすることで、製造コストの上昇を抑制することができる。また、複数のレールを敷設することによる摩擦力の増大を生じさせることもないため、スライド動作の際の操作力増大を抑え、実用上優れた引出し付きキャビネットを提供することができる。
【００１０】
また、トレーは引出しの上方側に位置しており、調理する際の使用頻度の高い調味料や調理器具を収納することができるため、使用者は引出しを開けることで一目で調味料や調理器具を把握することができる。したがって、使用頻度の高い調味料を使用する度に探す必要がなく調理の作業効率を向上させることができる。
【００１１】
さらに、トレーを引出しから取外す際にロッド挟持部をロッドに残したままトレーを引出しから取外すことができるため、ロッド挟持部を広げるようにしてトレーを引出しから取外す必要がなく、ロッド挟持部やロッドに負荷がかからないため、トレーやロッド挟持部の破損を防止することができる。
【００１２】
第二の発明は、ロッド挟持部がアーム部を有しており、トレーの側面方向からトレーに差し込まれる連結具によってアーム部がトレーに取り付けられることで、トレーの再装着時に、トレーをロッドの上に載せた状態でトレーとアーム部を取り付けることができるため、使用者は再装着を簡単に行うことができる。
【００１３】
第三の発明は、トレーが、トレーとアーム部を固定する連結具が挿入される固定孔と、トレーのぐらつきを防止するぐらつき防止孔とを備え、ぐらつき防止孔は固定孔よりも上方に設けられていることで、トレーのぐらつきを防止することができるとともに、トレーとアームを固定する固定孔に回転方向の力がかかることがなく、一度固定した連結具が緩むことがない。
【発明の効果】
【００１４】
本発明によれば、使用者がトレーの清掃等でトレーを取り外し、清掃が終了後に再度引出しにトレーを取り付ける際に、トレーを固定するロッド挟持部およびロッドに負荷をかけることなく装着することができるキッチンキャビネットを提供することができる。
【図面の簡単な説明】
【００１５】
【図１】キッチンキャビネットの斜視図
【図２】キッチンキャビネットの斜視図
【図３】キッチンキャビネットの引出し及びトレーの分解斜視図
【図４】支持部材の斜視図
【図５】ロッド挟持部の斜視図
【図６】トレーを引出しから取外した際の斜視図
【図７】トレーを引出しに装着する際の斜視図
【発明を実施するための形態】
【００１６】
以下、添付図面を参照しながら本発明の実施の形態について説明する。理解を容易にするため、各図面において同一の構成要素に対しては可能な限り同一の符号を付し、重複する説明は省略する。
【００１７】
まず、図１及び図２、図３、図４を参照して、本発明のキッチンキャビネット１の概略を説明する。図１及び図２は、本発明のキッチンキャビネット１の斜視図であり、図３は、本発明のキッチンキャビネット１の引出し３及びトレー４の分解斜視図であり、図４は、支持部材３０の斜視図である。
【００１８】
図１及び図２に示すように、キッチンキャビネット１は、キャビネット本体２と、引出し３と引出し３に取り付けられるトレー４とを備えている。
【００１９】
キャビネット本体２は、樹脂板や鋼板等で箱状に形成されている。その内部空間は収
納空間５となっており、その前面側において開放されている。キャビネット本体２の左右側面を構成するキャビネット側板１４の内面には、前後方向に伸びる左右一対の引出し用レール（図示しない）が固定されている。
【００２０】
引出し３は、前板１０と、上端部が前板１０の上端部よりも下方に位置する後板１１と、前板１０の下部と後板１１の下部との間に設けられた底板１３と、底板１３の左右両側部で前板１０と後板１１との間に設けられた左右一対の側板１２とを備えている。側板１２は、その上端部が後板１１の上端部よりも下方に位置している。側板１２の上方には、断面形状が円形状の左右一対のロッド２０が前板１０と後板１１の間で略水平に設けられている。側板１２の外側における側面には前後方向に伸びるレール溝（図示しない）が形成されており、このレール溝にキャビネット本体２の引出し用レール（図示しない）が挿入されて係合する。これにより、使用者は、前板１０を掴み、引出し３をキャビネット本体２に対し図１に矢印ＦＢで示す前後方向にスライドさせ、引出し３を収納空間５に進退させることができる。
【００２１】
トレー４は、引出し３よりも前後長を所定寸法短く形成され、上面が開放された収納空間を有している。さらにトレー４は、その幅方向寸法が引出し３の幅方向寸法と略同一とされており、後板１１の上端部よりも上方で、且つ前板１０の上端部よりも下方に配置されている。
【００２２】
ロッド挟持部４０は、トレー４の下面のうち前方寄りの部分に固定され、トレー４は、ロッド挟持部４０を介して引出し３のロッド２０に取り付けられる。
【００２３】
支持部材３０は図３及び図４に示すように、後板１１の左右両側の上端部に取り付けられている。支持部材３０がトレー４の下面のうちロッド挟持部４０よりも後方の部分をトレー４の下面を下方から支持することで、トレー４が前後方向の移動を支持している。
【００２４】
次に、図２及び図４を参照して、トレー４の転倒防止について説明する。
【００２５】
トレー４が引出し３に対して後方に大きくスライドし、トレー４の下面のうち後方の部分が、支持部材３０によって支持されない状態となった場合を考える。この場合、トレー４の自重及び収納物の重みにより、トレー４には、支持部材３０によって支持されている位置を中心としてトレー４の前側を浮き上がらせるような回転モーメントが生じる。
【００２６】
しかし、この際、トレー４の前方寄りの部分に固定されているロッド挟持部４０において、上記回転モーメントに抗してこの浮き上がりを抑える。これにより、トレー４の姿勢を保持して転倒が防止され、安定的にトレー４をスライドさせて使用することが可能となる。
【００２７】
また、ロッド挟持部４０はトレー４の外側から固定されていることから、トレー４の収納容量を十分に確保しながらも、トレー４の転倒を防止することが可能となる。
【００２８】
さらに、トレー４をスライドさせるためのレールを、引き出し用レール（図示しない）に加えて別途付設する必要がない。このため、製造コストの上昇を抑制することができるとともに、スライド動作の際の操作力増大を防止することも可能となる。
【００２９】
次に、図５及び図６を参照して、トレー４を引出し３から取外す過程について説明する。図５はロッド挟持部の斜視図であり、図６はトレー４を引出し３から取外した際の斜視図である。
【００３０】
図５に示すとおり、トレー４を引出し３に取り付けるためのアーム部４１を有しており、アーム部４１はトレー４とアーム部４１を連結具７０によって固定するための、トレー固定孔４２を備えている。
【００３１】
トレー４は、図６に示すとおり、トレー４の側面の前方よりにアーム部４１のトレー固定孔４２と固定させる固定孔５１を有している。トレー４と引出し３を固定させるための連結具７０によってトレー固定孔４２と固定孔５１を連結してトレー４と引出し３を固定させる。連結具７０の具体的な方法はネジが考えられる。連結具７０によってトレー４とロッド挟持部４０を固定することで、トレー４と引出し３を固定することができる。また、トレー４は、トレー４をロッド２０に載せた際にロッド２０とトレー４との間にロッド挟持部４０が入るような隙間６０がトレー４の前方寄りに形成されるように構成されている。
【００３２】
トレー４と引出し３を取外す際は、連結具７０をトレー４及びロッド挟持部４０のトレー固定孔４２から取外すことで、トレー４はロッド挟持部４０と取外し可能となる。また、図６に示すとおり、連結具７０を取り外し、トレー４と着脱可能となったロッド挟持部４０は、トレー４を上方へ移動させると、トレー４のみが上方に移動し、ロッド挟持部４０はロッド２０に残ったままの状態となる。
【００３３】
トレー４を引出し３から取外す際に、トレー４とロッド挟持部４０は連結具７０が取外されており、ロッド挟持部４０がロッド２０に残ったままの状態にすることで、トレー４を上方に移動させた場合において、トレー４やロッド挟持部４０に取外す際に発生する負荷がかかることがなく、トレー４やロッド挟持部４０が破損することがない。
【００３４】
次に、図７を参照して、トレー４を引出し３に装着する過程を説明する。図７はトレー４を引出し３に装着する際の斜視図である。
【００３５】
トレー４は、トレー４を引出し３に対して前後方向に移動させた際に、連結具７０が緩みぐらつきが発生する恐れがあるが、トレー４の固定孔５１の上方に、トレー４を前後方向に移動させてもぐらつきを防止することができるぐらつき防止孔５０を設けている。
【００３６】
さらに、ロッド挟持部４０のアーム部４１は、トレー４のぐらつき防止孔５０に挿入されることで、トレー４のぐらつきを防止するぐらつき防止突部４３を有している。
【００３７】
トレー４をロッド２０に載せた際に形成される隙間６０にロッド挟持部４０が挿入されるように移動させ、ロッド挟持部４０をトレー４に対して側面側から回動させ、トレー４のぐらつき防止孔５０にアーム部４１のぐらつき防止突部４３を挿入する。
【００３８】
その後、連結具７０によって、トレー４の固定孔５１とアーム部４１のトレー固定孔４２とを連結することで、トレー４とロッド挟持部４０は固定される。トレー４を引出し３から取外した際にロッド挟持部４０はロッド２０に残された状態であるため、トレー４は引出し３に装着されたことになる。
【００３９】
トレー４を引出し３に再装着した際においても、トレー４やロッド挟持部４０に再装着する際に無理な力がかかることがなく、破損することがない。また、トレー４をロッド２０に載せた際に隙間６０を形成することで、トレー４とロッド挟持部４０を固定させる位置を使用者は把握することができるため、スムーズにトレー４と引出し３を固定することができる。
【００４０】
トレー４とロッド挟持部４０を連結具７０で固定した状態でトレー４を前後に移動させると、トレー４が上下方向にぐらつくことで、回転の中心が連結具７０となってしまい、連結具７０に上下方向の力即ち回転する力が加わることになる。したがって、連結具７０の固定が緩んでしまう恐れがある。そこで、固定孔５１の上方にぐらつき防止孔５０を設け、ぐらつき防止孔５０にぐらつき防止突部４３を挿入し、トレー４を移動する際に発生する回転する力の回転の中心がぐらつき防止孔５０となるようにすることで、連結具７０を緩ませる原因となる回転する力がぐらつき防止孔５０に働くことになり、連結具７０で固定する固定孔５１には連結具７０を緩ませるように働く力がかかることがなく、トレー４とロッド挟持部４０との固定が緩むことがなく、トレー４がぐらつくことがない。
【００４１】
以上のように、トレー４を引出し３から取外す際およびトレー４を引出し３に再装着する際に、トレー４およびロッド挟持部４０に無理な力がかかることなく作業することができ、トレー４やロッド挟持部４０が破損することを防止することができる。
【符号の説明】
【００４２】
１：キッチンキャビネット
２：キャビネット本体
３：引出し
４：トレー
５：収納空間
１０：前板
１１：後板
１２：側板
１３：底板
１４：キャビネット側板
２０：ロッド
３０：支持部材
４０：ロッド挟持部
４１：アーム部
４２：トレー固定孔
４３：ぐらつき防止突部
５０：ぐらつき防止孔
５１：固定孔
６０：隙間
７０：連結具
【図１】
2015062528.tif 000003
【図２】
2015062528.tif 000004
【図３】
2015062528.tif 000005
【図４】
2015062528.tif 000006
【図５】
2015062528.tif 000007
【図６】
2015062528.tif 000008
【図７】
2015062528.tif 000009